(57)【要約】      （修正有）【課題】掻きむしり防止用手袋や、指しゃぶり防止用手袋を着用した乳幼児やアトピー性皮膚炎等の皮膚疾患患者や痴呆性患者が、睡眠中に無意識の内に手袋を外すことや、不快感から着用者自身が手袋を外してしまうことを防止する。【解決手段】手袋と外れ止めを着脱可能にする為に布１１に止め具１，２を備え、外れ止めの係止部として布１１に止め具３ａ、布１２に止め具３ｂを備え、布１１の両端にはサイズ調節機能として面ファスナーを取り付け、容易に手袋が手から外れることのない構造とした。また、止め具は容易に係止可能で且つ外れにくいものを使用し、布１２で面ファスナー５を覆うことにより面ファスナーが直接肌に触れることのない安全な構造とした。【選択図】図１
2006328598.tif 000002
【特許請求の範囲】
【請求項１】
手首に固定する布状体と、手袋との接合部及び前記布状体の係止部に止め具と面ファスナーを備えたことを特徴とする着脱可能な手袋外れ止め。
【請求項２】
前記接合部及び係止部は、係止部が容易に係止可能で且つ強固な係止力を有する雄雌一対の止め具と面ファスナーで構成したものであることを特徴とする請求項１記載の着脱可能な手袋外れ止め。
【請求項３】
前記布状体の係止部に面ファスナーを備え、サイズ調節機能を備えたことを特徴とする請求項１又は２に記載の着脱可能な手袋外れ止め。
【請求項４】
請求項１から３のいずれかに記載の着脱可能な手袋外れ止めにおいて、さらに面ファスナーを覆うように布状体を備えたことを特徴とする請求項１から３のいずれかに記載の着脱可能な手袋外れ止め。
【発明の詳細な説明】
【技術分野】
【０００１】
本発明は、手袋に取付けることができる着脱可能な手袋外れ止めに関する。
【背景技術】
【０００２】
乳幼児又はアトピー性皮膚炎等の皮膚疾患患者又は痴呆性患者は、顔や体の痒みに我慢できずに或いは無意識のうちに掻きむしり皮膚を傷つけてしまう場合がある為、保護用の手袋を着用する場合がある。また、乳幼児の指しゃぶりを防止する為に手袋を着用する場合がある。
【０００３】
しかしながら手袋着用時、睡眠中に無意識の内に手袋を外すことや不快感から着用者の意思により手袋を外してしまうことが多々あった。
【０００４】
そこで従来より、手袋が手から外れることを防止する為に特許文献１のように寝間着と手袋を係止するものや、特許文献２、３のように外れ止めと手袋が一体であり係止部に面ファスナーや紐状体を備えた手袋が提案されてきた。
【特許文献１】特開平９−０５９８０９号公報
【特許文献２】特開２００５−０５４３３７号公報
【特許文献３】特開２００１−３３６０１０号公報
【発明の開示】
【発明が解決しようとする課題】
【０００５】
前記特許文献１のように寝間着と手袋を係止する場合、腕全体を手袋又は寝間着で覆う為に夏場は半袖になることが困難であり、暑い時期には適さない。また特許文献２や３に記載のような係止部に面ファスナーや紐状体を備えた構造の手袋の場合、外れ止めが手袋と一体になっている為に手袋を洗浄する際外れ止めも同時に洗浄することとなり、外れ止めの劣化を進める原因となる。さらに面ファスナーや紐状体を係止部に使用すると、係止部が外れ易い為に着用者が睡眠時の無意識状態又は不快感から着用者の意思により係止部を外してしまい、手袋が外れてしまう場合がある。また、紐状体の係止部は係止作業に手間がかかる。また全ての発明において止め具や面ファスナーが皮膚に触れる可能性があり、特に面ファスナーは鈎状構造の為皮膚が傷つく危険性を伴う。
【０００６】
上述のように従来の発明は手袋の改良は進んでいるが、手袋が手から外れることを防止する外れ止めの改良はなされていない。外れ止めは手袋同様皮膚に直接触れるものである為、肌を傷つける可能性がない安全なものを使用すべきである。また、手袋が手から外れない構造にすることは言うまでもない。
【０００７】
そこで本発明の目的は、手袋部分と外れ止め部分を各個独立させて着脱自在にすること、並びに係止部が容易に係止可能で且つ手袋が着用者の手から外れることを防止すること、さらに係止部に使用する止め具や面ファスナーが直接肌に触れることがない着脱可能な手袋外れ止めを提供することである。
【課題を解決するための手段】
【０００８】
請求項１の着脱可能な手袋外れ止めによれば、手首に固定する布状体と、手袋との接合部及び前記布状体の係止部に止め具と面ファスナーを備えたことを特徴とする。このような外れ止めによれば手袋と外れ止めの接合部に止め具を備え各個独立させることにより、手袋と外れ止めを着脱自在にし、且つ布状体の係止部に止め具と面ファスナーを備えることにより手袋が手から外れることを防止することができる。
【０００９】
請求項２の着脱可能な手袋外れ止めによれば、手袋との接合部及び前記布状体の係止部に容易に係止可能で且つ強固な係止力を有する雄雌一対の止め具と面ファスナーを備えることにより、外れ止めの装着及び係止作業を簡易化することができる。また前記止め具と面ファスナーは布状体への取り付けも容易に行うことが可能である。
【００１０】
請求項３の着脱可能な手袋外れ止めによれば、着脱自在でサイズ調節機能を有する面ファスナーを布の係止部に備えることにより個々の手首の太さに合わせたサイズ調節が可能になる。
【００１１】
請求項４の着脱可能な手袋外れ止めによれば、面ファスナーを覆うように布状体を備えることにより面ファスナーが皮膚に触れることを防止することができる。
【発明の効果】
【００１２】
請求項１の発明によれば、手袋と外れ止めを各個独立することにより手袋のみを洗浄することができ、外れ止めの劣化を防ぐことができる。また、布状体の係止部に止め具と面ファスナーを備えることにより容易に着脱でき手袋が手から外れることを防止することができる。また、様々な種類の手袋と外れ止めを組み合わせて使用することが可能である。
【００１３】
請求項２の発明によれば、手袋の接合部及び布状体の係止部に容易に係止可能で且つ強固な係止力を有する雄雌一対の止め具と面ファスナーを備えることで、着用者が睡眠中に無意識の内に手袋を外すことや、不快感から着用者の意思により手袋を外してしまうことを防止することができる。
【００１４】
請求項３の発明によれば、面ファスナーを用いることにより着用者個々の手首の太さに合わせたサイズ調節が可能になる。
【００１５】
請求項４の発明によれば、面ファスナーを覆うように布状体を備えることにより、面ファスナー独特の形状である鈎状係止部とパイル状係止部で着用者の皮膚が刺激され傷つくことを防止することができる為、安全性が高まる。
【発明を実施するための最良の形態】
【００１６】
本発明を実施する為の最良の形態を添付図面に基づいて説明する。
【００１７】
図１は本発明の着脱可能な手袋外れ止めの斜視図、図２は本発明の着脱可能な手袋外れ止めの側面図、図３は本発明の着脱可能な手袋外れ止めを最大のサイズにして係止した状態の側面図、図４は本発明の着脱可能な手袋外れ止めを最小のサイズにして係止した状態の側面図、図５は本発明の着脱可能な手袋外れ止めを係止していない状態での斜視図、図６は本発明の着脱可能な手袋外れ止めの変更形態を示す側面図、図７は面ファスナーの取り付け方法の一例を示す平面図、図８は手袋と本発明の着脱可能な手袋外れ止めの正面図である。
【００１８】
先ず、外れ止めの形状について説明する。図１，図２に示すように本発明に係る着脱可能な手袋外れ止めは、手首部を覆うように巻くことが可能な布１１及び布１２と、手袋と着脱を自在にする為に布１１に取り付けられた止め具１，２により構成されている。布１１と布１２の係止部として布１１には止め具３ａ、布１２には止め具３ｂが備えられ、手袋との接合部として布１１には止め具１ｂ，２ｂ及び手袋に取り付け可能な止め具１ａ，２ａが備えられている。次いで布のサイズ調節を可能にする為に布１１の対面する両端に面ファスナー４，５が備えられている。なお、以下の説明において、便宜上、本発明に係る着脱可能な手袋外れ止めを単に外れ止めと略称する。
【００１９】
次に、布１１，布１２について説明する。図５に示すように布１１，布１２は面ファスナー４，５の幅Ａより大きく形成されている。この形状により、皮膚と面ファスナーの接触を防ぐことができる。また、図２，図５に示すように布１２は布１１との接合部Ｂに縫合され、布１１に縫い付けられた面ファスナー５を覆うように形成されている。布１２は面ファスナー５を覆うことにより、面ファスナー５が皮膚に触れることを防止する働きがある。
【００２０】
尚、布１１と布１２の素材は皮膚と接触した際に皮膚を傷つけず、アレルギーの原因とならない生地であれば、特に限定されるものではない。
【００２１】
次に、止め具について説明する。図２に示すように手袋との接合部として布１１に止め具１及び止め具２が縫い付けられ、布１１と布１２の係止部として布１１には止め具３ａ、布１２には止め具３ｂが縫い付けられている。前記止め具は係止部が容易に係止可能で且つ強固な係止力を有する雄雌一対の止め具が望ましく、好適なものとしてスナップ釦が挙げられる。
【００２２】
但し、止め具１，２及び３は、係止部が容易に係止可能で且つ強固な係止力を有する雄雌一対の止め具であればよく、スナップ釦に限定されるものではない。例えば、ホック釦やプラスチックスナップ、前カン、ホック、ボタンとボタン穴等を使用してもよく、より安全性を高めるのであれば、硬質の材質で形成された止め具を使用する際は止め具に布を巻いた形状で使用してもよい。
【００２３】
また、止め具１、２と止め具３は同種類の止め具を使用する必要はなく、異なった種類の止め具を取り付けてもよい。
【００２４】
尚、本実施の形態では、手袋との接合部として止め具１及び止め具２の２箇所に係止部を設けたが、これは手袋と外れ止めをより一体化する為の形状であり、手袋から外れ止めが外れないという目的においては、係止部は一箇所でもよい。
【００２５】
次に面ファスナーについて説明する。図２，図５に示すように面ファスナー４，５は布１１の対面するそれぞれ両端に縫い付けられている。また、図５が示すように面ファスナー４は係止可能な最小限の幅Ｃの小片状のものとし、面ファスナー５はサイズ調整が必要な幅Ｄの帯状のものとする。この形状により、図３に示すようにサイズ最大時に面ファスナー５が皮膚と接触することを防ぐことができる。無論サイズ最小時は図４の如く面ファスナー５は肌に触れることはない。
【００２６】
また、外れ止め係止時、面ファスナー４との接着部以外の面ファスナー５の部分が肌に触れる場合も想定し、面ファスナー４は鈎状構造、面ファスナー５はパイル状構造の面ファスナーを使用することが望ましい。
【００２７】
尚、本発明の外れ止めを装用するにあたって、手袋に止め具１ａ及び止め具２ａが付帯されている手袋と併用すると効果的である。止め具１ａ及び止め具２ａが備えられている手袋を使用することにより、止め具１ａ及び止め具２ａを手袋に取り付ける作業負担を省略することができる。
【００２８】
次に、前記実施形態の変更形態について説明する。なお、上記実施形態と同じ構成部材については同じ符号と形状を付し、作成方法及び取り付け方法も同様である。
【００２９】
止め具１，２及び３にホック釦のように止め具が台座と釦の凹又は凸部材により構成されている止め具を使用する場合、図６のように布１１は布２１と布３１、布１２は布２２と布３２で構成するものとする。布３１と布２２の裏面にホック釦の台座４ｂ，５ｂ，６ｂ，７ｂを取り付け、表面に釦の凹又は凸部材４ａ，５ａ，６ａ，７ａを取り付ける。ホック釦を取り付けた布３１及び布２２の裏面と布２１及び布３２の裏面を合わせて周辺部を縫合し、布を二重構造に形成する。前記構造により、ホック釦の台座４ｂ，５ｂ，６ｂ，７ｂが皮膚に触れることはない。また、ホック釦は打ち具やプライヤー等の取り付け具により簡単に取り付け可能である。
【００３０】
尚、上記２１，３１と布２２，３２による布の二重構造はホック釦に限定されず布の表と裏を挟んで係止する止め具全てに適合する。
【００３１】
また、布２１，布３１と布２２，布２３は二重構造であればよく、その作成方法と縫合方法は任意である。例えば、１枚の布を筒状に縫合することにより二重構造にしてもよい。
【００３２】
また、面ファスナーを縫い付ける際さらに安全性を高めるのであれば、前述の如く布を布２１，布３１の二重構造とし、図７に示すように布２１及び布３１の面ファスナーが接着するＥ部分を切断し、面ファスナーの鈎状構造及びパイル状構造が付帯していないＦ部分を布２１と布３１の間に縫合してもよい。
【００３３】
また、上記全ての説明において布及び止め具及び面ファスナーの取り付け方法は全て糸による縫合としたが、各部材は取り付けていればよくその取り付け方法は任意である。例えば粘着液又は接着剤等を使用しての接着やアイロンを使用し接着するタイプの面ファスナーを使用してもよい。
【００３４】
次いで、外れ止めを手袋に着用し、手首部に固定する方法を説明する。先ず、図８に示すように止め具１ａ，２ａを手袋１０に取り付ける。次に、図２に示すように係止部を開放している状態で、手袋に取り付けた止め具１ａと外れ止めに取り付けられている止め具１ｂを接合する。次に、着用者の手首に布１１を巻き手首及び腕の太さに合わせて面ファスナー４と面ファスナー５を貼り合わせる。次に、図３及び図４に示すように布１２を面ファスナー５を覆うように被せ、止め具３ａと止め具３ｂを接合する。最後に、外れ止めに取り付けられている止め具２ｂと手袋に取り付けた止め具２ａを接合する。
【００３５】
また、止め具１及び止め具２は先にどちらを接合してもよく、初めから止め具１及び止め具２を接合していてもよく、最後に止め具１及び止め具２を接合してもよく、その作業手順は任意である。
【図面の簡単な説明】
【００３６】
【図１】本発明の着脱可能な手袋外れ止めの斜視図
【図２】本発明の着脱可能な手袋外れ止めの側面図
【図３】本発明の着脱可能な手袋外れ止めを最大のサイズにして係止した状態の側面図
【図４】本発明の着脱可能な手袋外れ止めを最小のサイズにして係止した状態の側面図
【図５】本発明の着脱可能な手袋外れ止めを係止していない状態での斜視図
【図６】本発明の着脱可能な手袋外れ止めの変更形態を示す側面図
【図７】面ファスナーの取り付け方法の一例を示す平面図
【図８】手袋と本発明の着脱可能な手袋外れ止めの正面図
【符号の説明】
【００３７】
１１，１２，２１，３１，２２，３２  布
１，２，３  止め具
４，５      面ファスナー
６ａ，７ａ，８ａ，９ａ  止め具台座
６ｂ，７ｂ，８ｂ，９ｂ  止め具凹又は凸部材
１０    手袋
【図１】
2006328598.tif 000003
【図２】
2006328598.tif 000004
【図３】
2006328598.tif 000005
【図４】
2006328598.tif 000006
【図５】
2006328598.tif 000007
【図６】
2006328598.tif 000008
【図７】
2006328598.tif 000009
【図８】
2006328598.tif 000010